(57)【要約】【課題】オゾン発生部内に複数個の電極部を設けた場合であっても、十分なオゾン風を外部に放出することが可能なオゾン除菌消臭器を提供する。【解決手段】オゾン風発生部の一方に配置されたオゾン風を外部に放出するための第１の開口部と、オゾン発生部に対して第１の開口部と対向に配置された第２の開口部を備え、前記第２の開口部は、オゾン除菌装置本体部に設けられた貫通開口部に設けることで、外気を十分に取り込むことが可能になり、オゾン発生部内に複数個の電極部を設けた場合であっても、オゾン風を十分に外部に放出することが可能となる。【選択図】図１
2018143581.tif 000002
【特許請求の範囲】
【請求項１】
装置本体と、装置本体に設けられた貫通開口部を有し、
前記貫通開口部の近傍に、オゾン風発生部が設けられており、
前記オゾン発生部にはコロナ放電によりオゾン風を発生させるための複数個の電極部が設けられており、
前記オゾン風発生部で発生したオゾン風を外部に放出するための第１の開口部と、
前記オゾン風発生部に対して前記第１の開口部と対向にに配置され、
前記貫通開口部と前記オゾン風発生部との間に設けた第２の開口部とを有する、オゾン除菌消臭器。
【請求項２】
前記オゾン風発生部は、前記貫通開口部の上方に設けられ、前記第１の開口部は前記装置本体の天面に設けた、請求項１に記載のオゾン除菌消臭器。
【請求項３】
前記電極部は、針状電極部と、リング状対向電極部からなる、請求項１または２に記載のオゾン除菌消臭器。
【発明の詳細な説明】
【技術分野】
【０００１】
本発明は、コロナ放電によりオゾン風を発生させるオゾン風発生装置を備えたオゾン除菌消臭器に関する。
【背景技術】
【０００２】
近年、空気中の臭い、衣類等に染み付いた臭い等を除去するため、コロナ放電を利用して低濃度オゾン風を発生させるオゾン除菌消臭器が普及している。オゾンは、臭いの元となる物質を分解して不活性化させることにより、臭いを除去する。また、オゾンは、酸化力が非常に強いため、除菌、ウイルス除去等にも効果を発揮する。
【０００３】
オゾン風発生部は、針状電極と、該針状電極に対向して配置された対向電極との間に所定の電圧を印加してコロナ放電を発生させることにより、オゾン風を発生させる。例えば、特許文献１には、多重リング式コロナ放電によるオゾン風およびイオン風発生装置が開示されている。特許文献１に開示されているオゾン風およびイオン風発生装置では、対向電極が環状に形成されていて、その中心軸の延長線上で先端部が対向電極の中心に向かって延びるように針状電極が配置されている。これにより、針状電極の先端と環状の対向電極との距離が、該対向電極の全周に亘って概ね等しくなる。よって、針状電極と対向電極との間で生じる放電のばらつきを小さくすることができる。その結果、オゾン風およびイオン風による消臭効果および除菌効果を向上することができる。
【先行技術文献】
【特許文献】
【０００４】
【特許文献１】特開２０１１−１７５９４９号公報
【発明の概要】
【発明が解決しようとする課題】
【０００５】
オゾン風発生部は、オゾン風を発生させることにより、ファンなどの送風機構を必要とせずに、電極近傍で発生したオゾン風を開口部から放出する。また、オゾン風発生部は針状電極と対向電極の間に高電圧をかけてコロナ放電を行うため、オゾン風を外部に放出するための開口部以外の部分は、感電等の危険防止の為、人体に触れないよう筐体により覆われている。
【０００６】
ところで、広い空間や短時間でを除菌・消臭したい場合、除菌・消臭機能を高めるためには、オゾン発生部内に針状電極とリング状対向電極を組合せた複数個の電極部を設けることが有効であるが、狭い空間に複数個の電極部を設けた場合、オゾン風が十分に発生しないとの問題があることが分かった。
【０００７】
本発明は、前記現状に鑑みてなされたものであり、オゾン発生部内に複数個の電極部を設けた場合であっても、十分なオゾン風を外部に放出することが可能なオゾン除菌消臭器を提供することを目的とする。
【課題を解決するための手段】
【０００８】
本発明者らは、前記課題について種々検討を行ったところ、オゾン風発生部の一方に配置されたオゾン風を外部に放出するための第１の開口部と、オゾン発生部に対して第１の開口部と対向に配置された第２の開口部を備え、前記第２の開口部は、オゾン除菌装置本体部に設けられた貫通開口部に設けることで、外気を十分に取り込むことが可能になり、オゾン発生部内に複数個の電極部を設けた場合であっても、オゾン風を十分に外部に放出することが可能となることを見出した。
【０００９】
本発明は、前記知見に基づいてなされたものであり、その要旨は、以下の通りである。
装置本体と、装置本体に設けられた貫通開口部を有し、
前記貫通開口部の近傍に、オゾン風発生部が設けられており、
前記オゾン発生部にはコロナ放電によりオゾン風を発生させるための複数個の電極部が設けられており、
前記オゾン風発生部で発生したオゾン風を外部に放出するための第１の開口部と、
前記オゾン風発生部に対して前記第１の開口部と対向にに配置され、
前記貫通開口部と前記オゾン風発生部との間に設けた第２の開口部とを有する、オゾン除菌消臭器。
【００１０】
装置本体には大きな貫通開口部が設けられており、前記オゾン風発生部は、前記貫通開口部に設けた第２の開口部から十分に外気を取り入れることが可能になるため、前記オゾン風発生部内に複数個の電極部を設けた場合であっても、前記第１の開口部より十分なオゾン風を放出することが可能になる。
【００１１】
［２］前記オゾン風発生部は、前記貫通開口部の上方に設けられ、前記第１の開口部は前記装置本体の天面に設けた、前記［１］に記載のオゾン除菌消臭器。
【００１２】
オゾン風の放出部となる第１の開口部を装置本体の天面に設けたことで、空気よりも重いオゾン風を、空間の下部に留めずに効率的に空間全体に拡散することができる。
【００１３】
また、貫通開口部、第２の開口部、オゾン風発生部、第１の開口部を直線状に配置したことで、底面積の小さいスペース効率の良いオゾン除菌消臭器とすることができる。
【００１４】
［３］前記電極部は、針状電極部と、リング状対向電極部からなる、前記［１］または［２］に記載のオゾン除菌消臭器。
【００１５】
前記電極部に針状電極とリング状対向電極を組み合わせた多重リング式コロナ放電とすることで、効率の良いコロナ放電をすることができる。
【発明の効果】
【００１６】
本発明の一実施形態によれば、十分なオゾン風を発生可能なオゾン除菌消臭器を提供することができる。
【図面の簡単な説明】
【００１７】
【図１】実施形態に係るオゾン除菌消臭器１の概略構成を示す外観図である。
【図２】装置本体の上面図である。
【図３】貫通開口部から見た第２の開口部を示す図である。
【図４】オゾン風発生部の外世を示す模式図である。
【発明を実施するための形態】
【００１８】
以下、図面を参照し、本発明の実施の形態を詳しく説明する。なお、各図中の構成部材の寸法は、実際の構成部材の寸法および各構成部材の寸法比率等を忠実に表したものではない。
【００１９】
（全体構成）
図１は、実施形態に係るオゾン除菌消臭器１の外観を示す図である。装置本体２には貫通開口部３が設けられ、装置本体２の天面には第１の開口部４が設けられている。そして貫通開口部３と第１の開口部４の間の空間には、オゾン風発生部が設けられている。また、装置本体２の貫通開口部３よりも下の空間には、オゾン風発生装置の制御部や、オゾン風発生装置を作動させるための電源やバッテリーが設けられている。
【００２０】
図２は、実施形態に係るオゾン除菌消臭器１を上面から見た図である。第１の開口部２にはオゾン風発生部５に触れることを防止するため、網目状のカバー６が設けられている。カバー６の開口形状としては本実施形態の格子状の他、開口形状を六角形としてハニカム状とすることや、円形としてパンチングメタルなどを用いても良い。
【００２１】
図３は、実施形態に係るオゾン除菌消臭器１に設けた貫通開口部３の上面部を示す図である。オゾン発生部５は貫通開口部３側に設けた第２の開口部７により、外部空間と繋がっている。
【００２２】
本実施形態では、第２の開口部７の形状として細長い長方形のスリット８を複数設ける構成としたが、第１の開口部と同様に格子状とすることや、六角形としてハニカム状、円形としてパンチングメタルなどを用いても良い。
また、第１の開口部からは、オゾン風発生部の針状電極とリング状対向電極を望むことができる。本実施形態では、オゾン風発生部５に７組の電極部を設けている。
【００２３】
針状電極は、鋭く尖った先端部を有する針状の電極である。本実施形態では、針状電極は、針状に形成されているが、この限りではなく、尖った先端部を有する形状であれば、どのような形状であってもよい。
【００２４】
対向電極は、平面視で環状の平板状の電極である。すなわち、対向電極には、円形状の板状部材の中央部分に、円形状の貫通穴が設けられている。なお、対向電極の形状は、円形状、楕円形状、多角形状等であってもよい。また、対向電極は、貫通穴が設けられていない平板状の電極であってもよい。
【００２５】
針状電極および対向電極の材質としては、ステンレス、ニッケル、アルミ、銅、タングステン、シリコン等が挙げられるが、汎用性および加工性の観点から、ステンレスであることが好ましい。
【００２６】
針状電極は、対向電極の中心軸Ｘの延長線上に、尖った先端部が位置するように配置されている。詳しくは、針状電極は、先端部が、対向電極の中心軸の延長線上に位置し、且つ、対向電極の貫通穴の中心（対向電極側）に向かって延びるように配置されている。これにより、針状電極の先端と環状の対向電極との距離が、対向電極の全周に亘って概ね等しくなり、コロナ放電の際に、放電のばらつきが小さくなる。
【００２７】
（コロナ放電）
次に、針状電極と対向電極との間でコロナ放電が生じる場合のオゾン除菌消臭器１の動作について説明する。
【００２８】
図４に示すように針状電極１１と対向電極１２との間でコロナ放電を行う場合には、不図示の電源部の負極端子と針状電極１１とを電気的に接続するとともに、電源部の正極端子とグランドとを電気的に接続することにより、針状電極１１は負の電位を有するため、針状電極１１とゼロ電位の対向電極１２との間に所定の電圧が印加される。前記電圧は、−４，０００〜−６，０００Ｖであることが好ましい。
【００２９】
針状電極１１と対向電極１２との間に前記電圧が印加されると、針状電極１１から電子が放出されるため、コロナ放電が生じる。上述のように、オゾン除菌消臭器置１では、針状電極１１の先端と環状の対向電極１２との距離が、対向電極の全周に亘って概ね等しくなるように配置されている。そのため、コロナ放電のばらつきを小さくすることができる。
【００３０】
本実施形態ではコロナ放電により発生したオゾン風は、図４に示すように、第１の開口部４から外部に向かって放出される。また、貫通開口部３と繋がる第２の開口部７を設けているため、外気を貫通開口部を通してオゾン風発生部に取り込むことができ、電極部を多数設けた場合であっても、十分なオゾン風を発生させることが可能となる。
【００３１】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００３２】
例えば第１の開口部４は装置本体２の側面部に設けても良い。また、本体貫通部３も複数設けても良い。
【産業上の利用可能性】
【００３３】
本実施形態に係るオゾン風発生装置は、空気中の臭い、衣類等に染み付いた臭い等の除去、除菌、ウイルス除去等に用いられる清浄機等に利用可能である。
【符号の説明】
【００３４】
１  オゾン除菌消臭器
２  装置本体
３  貫通開口部
４  第１の開口部
５  オゾン風発生部
６  カバー
７  第２の開口部
８  スリット
１１  針状電極
１２  対向電極
【図１】
2018143581.tif 000003
【図２】
2018143581.tif 000004
【図３】
2018143581.tif 000005
【図４】
2018143581.tif 000006